(57)【要約】      （修正有）【課題】容器本体の把持位置を、内容物を含む容器本体の重心位置を考慮した適正位置に案内することで、内容量の変化に伴って重心位置が変化しても、安定性良くスムーズに内容物を注出可能な液体用容器を提供する。【解決手段】前後方向に扁平な、手で把持可能な容器本体１１の幅広側の前部及び後部に、容器本体１１を手で把持したときの第１指当部２０をそれぞれ設け、且つ、第１指当部２０が、容器本体１１に内容物としての液体を満充填したときの縦置き姿勢における容器本体１１の重心位置よりも、縦方向上部の位置における、容器本体１１の前後面の左右方向の途中部に設けた第１上部指当部２１と、第１上部指当部２１に連続的或いは間隔をあけて斜め下側へ向けて広がるように傾斜状に、容器本体１１の前後面に設けた左右１対の第１傾斜指当部２２とを備えた。【選択図】図１
2019048669.tif 000002
【特許請求の範囲】
【請求項１】
前後方向に扁平な、手で把持可能な容器本体と、該容器本体の口部に着脱自在に取付けたキャップとを有し、
前記容器本体の幅広側の前部及び後部に、前記容器本体を手で把持したときの第１指当部をそれぞれ設け、
且つ、第１指当部が、前記容器本体に内容物としての液体を満充填したときの縦置き姿勢における容器本体の重心位置よりも縦方向上部の位置における、前記容器本体の前後面の左右方向の途中部に設けた第１上部指当部と、前記第１上部指当部に連続的或いは間隔をあけて斜め下側へ向けて広がるように傾斜状に、前記容器本体の前後面に設けた左右１対の第１傾斜指当部とを備え、
前記第１指当部が、突条、突部、溝部、凹部、段差部又は傾斜部で構成され、
前記容器本体を手で把持するときの第２指当部として、前記容器本体の左右両側面に、上端部が第１上部指当部と略同じ高さ位置に配置され、下端部が接続されてＶ字状に配置される１対の第２傾斜指当部を備え、
前記第２指当部が、突条、突部、溝部、凹部、段差部又は傾斜部で構成されている、
ことを特徴とする液体用容器。
【請求項２】
前記第１傾斜指当部は、任意の容量の内容物を容器本体に充填した状態で、該内容物を注出操作したときにおける、該内容物を含む容器本体の重心位置の移動軌跡と略平行に傾斜されている請求項１記載の液体用容器。
【請求項３】
前記第１傾斜指当部は、前記満充填時の３０〜７０％の範囲内における任意の容量の内容物を容器本体に充填した状態で、該内容物を注出操作したときにおける、該内容物を含む容器本体の重心位置の移動軌跡と略平行に傾斜されている請求項１又は２記載の液体用容器。
【請求項４】
前記第１傾斜指当部の上側の起点を、前記満充填時における重心位置よりも、縦置き姿勢における容器本体の高さ方向の上側であって、該重心位置から１２ｍｍの範囲内に配置した請求項１〜３のいずれか１項記載の液体用容器。
【請求項５】
前記第１上部指当部は、手のひらが前記容器本体の側部に当たるように、前記容器本体を側方より手で把持した状態において、少なくとも親指の末節骨に対応するように、左右方向に長さを有する直線状に形成されている請求項１〜４のいずれか１項記載の液体用容器。
【請求項６】
前記第１指当部として、前記容器本体の左右両側面に、前後の第１傾斜指当部の下端部を連結する第１側部指当部を備えた請求項１〜５のいずれか１項記載の液体用容器。
【請求項７】
前記第１指当部を連続的或いは間欠的に容器本体の周囲に環状に形成した請求項６記載の液体用容器。
【請求項８】
前記第２傾斜指当部は、任意の容量の内容物を容器本体に充填した状態で、該内容物を注出操作したときにおける、該内容物を含む容器本体の重心の移動軌跡と略平行に傾斜されている請求項１〜７のいずれか１項記載の液体用容器。
【請求項９】
前記第２指当部として、前記第２傾斜指当部の上端部から前後の第１上部指当部側へ延びる第２上部指当部を備えた請求項１〜８のいずれか１項記載の液体用容器。
【発明の詳細な説明】
【技術分野】
【０００１】
本発明は、粘度の低い液体を収容するのに好適な液体用容器に関する。
【背景技術】
【０００２】
生活用品の中には、使用の際に付属のキャップを利用して、内容物としての液体を計量する液体用容器が広く採用されている。計量の際に利用されるキャップは、容器の密閉性を担保するために必要な最小の容量であることが多いため、容器からキャップへ内容物を注出するときに、注出される内容物の量や勢いによっては、こぼれたり、あふれたりして使用者に不便を生じる場合があった。
【０００３】
使用者が容器から注出する内容物の量や勢いのコントロールを誤る原因の１つとして、容器を持ち上げる際の重心位置及び、注ぐ動作時に容器が傾斜するのに伴う重心位置の移動に対して、把持する位置及び方法が適切でないことによるものが知られている。特に、洗口液などのように、粘度が低く、液がスムーズに移動する場合には問題が発生し易い。
【０００４】
そこで、重心位置を考慮した液体用容器も提案されている。
例えば、特許文献１には、内容液の満充填時における容器の重心位置と取っ手との位置関係を限定して、内容液を注出し易く腕の疲れも少ないように構成した容器が提案され、また特許文献２、３には、手による容器本体の把持の基準位置を設定するために、容器本体に上端起立部と下端起立部とを設けるとともに、内容液の満充填時における容器の重心位置と、把持の基準位置との位置関係を限定し、大容量で重量の重いボトル容器でも、手の大きさや指の長さに関係なく、持ち易さと注ぎ易さを向上し得るように構成した容器が提案されている。
【０００５】
しかし、特許文献１〜３記載の発明においても、内容量が少なくなったときの問題、即ち内容物を注出するため容器を傾けて、内容物を含む容器の重心位置が、手による容器本体の把持位置よりも口部側へ移動したときに、把持位置を中心とした回転トルクが逆方向に切り換わり、口部を下側へ傾動させる力が作用して、内容物としての液体が勢いよく口部から注ぎ出されて、キャップからこぼれてしまったり、あふれてしまったりするという問題を解決できないものであった。
【０００６】
そこで、このような問題を解決すべく、例えば先行文献４には、上部グリップと下部グリップを設けた容器が提案され、引用文献５には、内容液の充填量が満量時の１／３重量の状態において容器を傾斜させた際、内容液が口部から注ぎ出始める直前５°の傾斜の間に生じる容器全体の重心点の移動量が６．０〜８．０ｍｍである容器が提案されている。
【先行技術文献】
【特許文献】
【０００７】
【特許文献１】特開２００１−１４６２３７号公報
【特許文献２】特許第５４８０５２４号公報
【特許文献３】特許第５４８１１８８号公報
【特許文献４】特許第５０５３０５７号公報
【特許文献５】特開２００３−７２７２８号公報
【発明の概要】
【発明が解決しようとする課題】
【０００８】
ところが、特許文献４記載の容器では、上部グリップと下部グリップの２段階にしか把持位置を切換えることができないので、きめ細かな調整が困難なこと、内容量を目視できない容器も多く、上部グリップと下部グリップのどちらの把持位置を把持すべきかを予め確認することができず、内容量によっては、グリップを持ち直す必要があること、容器本体の上部と下部にグリップを形成する必要があるので、グリップにより容器のデザインが大幅に制約されること、などの問題がある。
【０００９】
また、特許文献５記載の発明では、取っ手を把持して内容物を注出するので、把持位置は殆ど変動することはないが、容器本体の胴部を手で把持する容器では、利用者によって把持位置が変動することから、特許文献５記載の技術をそのまま取っ手のない容器に適用することができない。しかも、容器本体の胴部を直接手で把持するように構成した容器では、容器本体を前後方向に扁平にして持ち易くしているが、大きく扁平させると内容量が少なくなることから、扁平度合にも自ずから限界があり、取っ手を設ける場合と比較して持ち難いことから、重心位置の移動による悪影響を受けやすいという問題がある。
【００１０】
本発明の目的は、容器本体の把持位置を、内容物を含む容器本体の重心位置を考慮した適正位置に案内することで、内容量の変化に伴って重心位置が変化しても、安定性良くスムーズに内容物を注出可能な液体用容器を提供するものである。
【課題を解決するための手段】
【００１１】
本発明に係る液体用容器は、前後方向に扁平な、手で把持可能な容器本体と、該容器本体の口部に着脱自在に取付けたキャップとを有し、前記容器本体の幅広側の前部及び後部に、前記容器本体を手で把持したときの第１指当部をそれぞれ設け、且つ、第１指当部が、前記容器本体に内容物としての液体を満充填したときの縦置き姿勢における容器本体の重心位置よりも縦方向上部の位置における、前記容器本体の前面の左右方向の途中部に設けた第１上部指当部と、前記第１上部指当部に連続的或いは間隔をあけて斜め下側へ向けて広がるように傾斜状に、前記容器本体の前面に設けた左右１対の第１傾斜指当部とを備えたものである。なお、本明細書において満充填とは、容器本体に内容物としての液体を隙間なく最大限充填した最大充填量を意味するものではなく、この最大充填量の９５〜８５％、好ましくは９５〜９０％程度の内容量を充填した状態を意味し、液体用容器に内容物を封入してなる商品の流通時における内容量を意味する。また、本明細書では、人差指を第１上部指当部又は第２上部指当部に当接させる場合について説明するが、人差指に代えて、人差指及び中指、あるいは中指のみを第１上部指当部又は第２上部指当部に当接させて容器本体を把持することも可能で、この場合には、「人差指」を、「人差指及び中指」、あるいは「中指」に読み替えて同様に構成できる。更に、右手で容器本体を把持する場合について説明するが、左手で把持することも可能で、この場合には、「右手」を「左手」に読み替えて同様に構成できる。
【００１２】
この液体用容器では、容器本体が前後方向に扁平に構成されているので、例えば容器本体を右手で把持する際には、容器本体の右側部に右手の手のひらが配置され、前面側又は後面側に右手の親指が配置され、後面側又は前面側に右手の残り４本の指が配置されるように、容器本体に対して側方より右手を挿入して、容器本体を把持することになる。このとき、第１上部指当部を目印として、右手の親指と人差指とが前後面の第１上部指当部に当接するように、該親指と人差指間に容器本体を挿入することで、右手の親指と人差指が重心位置付近の適正な位置に配置されるように容器本体を把持できる。また、この状態で、右手の親指と人差指とが前後面の第１上部指当部に当接するとともに、右手の親指と人差指とが前後面の第１傾斜指当部に当接することになる。ここで、第１上部指当部は、満充填時の縦置き姿勢における容器本体の重心位置よりも縦方向上部に位置するので、内容量の多寡に関係なく、容器本体を縦向きの安定姿勢で持ち上げることができ、しかも右手の親指と人差指の上方への移動が第１上部指当部との接触により抑制されるので、容器本体の滑りを防止して、容器本体を安定性良く持ち上げることができる。また、内容物を注出するため容器本体を傾けると、内容物を含む容器本体の自重により、容器本体を縦向きに戻そうとする回転トルクが作用するが、右手の親指と人差指が第１傾斜指当部に接触することで、該回転トルクが受け止められるので、容器本体を安定性良く傾動させて、安定性良くスムーズに内容物を注出できる。更に、内容量が少なくなった状態で、容器本体を傾けて内容物を注出する際には、右手の親指と人差指間における容器本体の傾動中心よりも口部側へ重心位置が移動するが、その際においても、右手の親指及び人差指が第１傾斜指当部に当接していることにより、口部側が勢いよく下側へ傾動することが抑制され、内容物をキャップに移し替える場合でも、内容物がこぼれたり、あふれたりすることを効果的に抑制乃至防止できる。第１指当部を設けることで、第１指当部の第１上部指当部或いは第１傾斜指当部に沿って親指を配置するように利用者に案内することができる。そして、第１上部指当部或いは第１傾斜指当部に沿って当接するように親指を配置させて容器本体を把持できれば、前述のように安定性良く容器本体を把持して、内容物を注出することができる。特に、右手の親指の上側の側部を第１傾斜指当部に沿って当接させると、内容物の移動により発生する容器本体の回転トルクを、第１傾斜指当部に線的に当接する親指の側部で、確実に且つ安定性良く受け止めることができ、安定性良く内容物を注出することができる。
【００１３】
前記第１傾斜指当部は、注出操作時における、内容物を含む容器本体の重心位置の移動軌跡と略平行に傾斜されていることが好ましい実施の形態である。このように構成することで、内容量の移動及び内容量の変化に伴って重心位置の移動軌跡が変化しても、親指を第１傾斜指当部に線的に当接させて、安定性良く容器本体を傾動させて内容物を注出することができる。
【００１４】
前記第１傾斜指当部は、前記満充填時の３０〜７０％の内容物を容器本体に充填した状態で、該内容物を注出操作したときにおける、該内容物を含む容器本体の重心位置の移動軌跡と略平行に傾斜されていることが好ましい実施の形態である。内容物の注出時における手元の安定性は、内容量を含む容器本体の重量と、内容物の注出時における重心位置の移動距離の影響を受けて変化する。具体的には、容器本体に充填されている内容物の容量が多いと、容器本体が重たくなって、手元の安定性が低下し、少なくなると、容器本体が軽くなって、手元の安定性が向上する。一方、重心位置の移動距離は、容器本体の重量とは反対に、内容量が多くなると、重心位置の移動距離が小さくなって、手元の安定性が向上し、内容量が少なくなると、重心位置の移動距離が大きくなって、手元の安定性が低下する。このため、本発明のように、満充填時の３０〜７０％の内容物を容器本体に充填した状態を基準にして、第１傾斜指当部を設計することで、内容物の注出時における手元の安定性を、内容量の多寡に影響を受けることなく、満充填状態から、内容物が無くなるまでの全期間にわたって一様に向上できる。
【００１５】
前記第１傾斜指当部の上側の起点を、前記満充填時における重心位置よりも０〜１２ｍｍだけ、縦置き姿勢における容器本体の高さ方向の上側に配置することが好ましい実施の形態である。つまり、第１傾斜指当部の上側の起点位置付近に親指の先端側部分が配置されるので、本発明のように構成すると、起点と重心位置間の距離を短くして、容器本体のうちの親指と人差指とで摘まんでいる部分に大きな回転トルクが作用することを防止でき、容器本体の傾動操作性を向上できる。
【００１６】
前記第１上部指当部は、手のひらが前記容器本体の側部に当たるように、前記容器本体を側方より手で把持した状態において、少なくとも親指の末節骨に対応するように、左右方向に長さを有する直線状に形成されていることが好ましい実施の形態である。このように構成することで、第１上部指当部に沿って親指が配置されるように、容器本体を把持した場合でも、親指を第１上部指当部に線的に当接させて、安定性良く容器本体を傾動させて内容物を注出することができる。
【００１７】
前記第１指当部を突条、突部、溝部、凹部、段差部又は傾斜部で構成することが好ましい。第１指当部は、突出状に連続的に延びる突条で構成したり、相互に間隔をあけて設けた複数の突部で構成したり、連続的に延びる溝部で構成したり、相互に間隔をあけて設けた複数の凹部で構成したり、第１指当部を境界部として、容器本体の上部側が下部側よりも容器本体の外方側へ膨出するように、該境界部に連続的に延びる段差部や傾斜部で構成したり、これらを任意に組み合わせて構成することができる。このように構成することで、親指及び人差指と第１指当部との滑りを抑制乃至防止して、容器本体を安定性良く持ち上げたり、傾動させたりすることが可能となる。なお、段差部又は傾斜部は、容器本体の前後面に少なくとも親指と人差指の末節骨に対応する部分が嵌合し得る面積の窪みを形成して、該窪みの周壁で構成することも可能である。
【００１８】
前記第１指当部として、前記容器本体の左右両側面に、前後の第１傾斜指当部の下端部を連結する第１側部指当部を備えることが好ましい実施の形態である。このように構成すると、親指と人差指の手のひら側部分や手のひらを、第１側部指当部に当接させて、容器本体との滑りを防止でき、容器本体を安定性良く持ち上げたり傾動させたりすることができる。
【００１９】
前記第１指当部を連続的或いは間欠的に容器本体の周囲に環状に形成することが好ましい実施の形態である。このように構成することで、より一層安定性良く容器本体を把持できる。
【００２０】
前記容器本体を手で把持するときの第２指当部として、前記容器本体の左右両側面に、上端部が第１上部指当部と略同じ高さ位置に配置され、下端部が接続されてＶ字状に配置される１対の第２傾斜指当部を備えることも好ましい実施の形態である。このように構成した場合には、容器本体と手の位置関係が、容器本体の周方向にずれた場合でも、親指と人差指とが第２指当部の第２傾斜指当部に当接することで、第１傾斜指当部を設けた場合と同様に、容器本体を把持する側の手の親指と人差指を適正な位置に配置させて容器本体を把持でき、容器本体を傾けて内容物を注出するときの安定性を向上できる。
【００２１】
前記第２指当部として、前記第２傾斜指当部の上端部から前後の第１上部指当部側へ延びる第２上部指当部を備えることも好ましい実施の形態である。この場合には、容器本体と手の位置関係が、容器本体の周方向に多少ずれた場合でも、親指と人差指とが第２指当部の第２上部指当部に当接することで、第１上部指当部を設けた場合と同様に、容器本体を把持する側の手の親指と人差指を適正な位置に配置させて容器本体を把持でき、容器本体を安定性良く持ち上げることができる。
【００２２】
前記第２傾斜指当部は、注出操作時における、内容物を含む容器本体の重心の移動軌跡と略平行に傾斜されていることが好ましい実施の形態である。このように構成することで、内容量の移動及び内容量の変化に伴って重心位置の移動軌跡が変化しても、親指と人差指を第２傾斜指当部に確実に当接させて、安定性良く容器本体を傾動させて内容物を注出することができる。
【００２３】
前記第２指当部を突条、突部、溝部、凹部、段差部又は傾斜部で構成することができる。第２指当部としては、第１指当部と同様に、突出状に連続的に延びる突条で構成したり、相互に間隔をあけて設けた複数の突部で構成したり、連続的に延びる溝部で構成したり、相互に間隔をあけて設けた複数の凹部で構成したり、第１指当部を境界部として、容器本体の上部側が下部側よりも容器本体の外方側へ膨出するように、該境界部に連続的に延びる段差部や傾斜部で構成したり、これらを任意に組み合わせて構成することができる。このように構成することで、親指及び人差指と第２指当部との滑りを抑制乃至防止して、容器本体を安定性良く持ち上げたり、傾動させたりすることが可能となる。なお、段差部又は傾斜部は、容器本体の側部に少なくとも親指と人差指の末節骨に対応する部分が嵌合し得る面積の窪みを形成して、該窪みの周壁で構成することも可能である。また、第１指当部と第２指当部は同じ断面形状に構成することもできるし、異なる断面形状に構成するともできる。
【発明の効果】
【００２４】
本発明に係る液体用容器によれば、容器本体が前後方向に扁平に構成されているので、例えば容器本体を右手で把持する際には、容器本体の右側部に右手の手のひらが配置され、前面側又は後面側に右手の親指が配置され、後面側又は前面側に右手の残り４本の指が配置されるように、容器本体に対して側方より右手を挿入して、容器本体を把持することになる。このとき、第１上部指当部を目印として、右手の親指と人差指とが前後面の第１上部指当部に当接するように、該親指と人差指間に容器本体を挿入することで、右手の親指と人差指が重心位置付近の適正な位置に配置されるように容器本体を把持できる。また、この状態で、右手の親指と人差指とが前後面の第１上部指当部に当接するとともに、右手の親指と人差指とが前後面の第１傾斜指当部に当接することになる。ここで、第１上部指当部は、満充填時の縦置き姿勢における容器本体の重心位置よりも縦方向上部に位置するので、内容量の多寡に関係なく、容器本体を縦向きの安定姿勢で持ち上げることができ、しかも右手の親指と人差指の上方への移動が第１上部指当部との接触により抑制されるので、容器本体の滑りを防止して、容器本体を安定性良く持ち上げることができる。また、内容物を注出するため容器本体を傾けると、内容物を含む容器本体の自重により、容器本体を縦向きに戻そうとする回転トルクが作用するが、右手の親指と人差指が第１傾斜指当部に接触することで、該回転トルクが受け止められるので、容器本体を安定性良く傾動させて、安定性良くスムーズに内容物を注出できる。更に、内容量が少なくなった状態で、容器本体を傾けて内容物を注出する際には、右手の親指と人差指間における容器本体の傾動中心よりも口部側へ重心位置が移動するが、その際においても、右手の親指及び人差指が第１傾斜指当部に当接していることにより、口部側が勢いよく下側へ傾動することが抑制され、内容物をキャップに移し替える場合でも、内容物がこぼれたり、あふれたりすることを効果的に抑制乃至防止できる。第１指当部を設けることで、第１指当部の第１上部指当部或いは第１傾斜指当部に沿って親指を配置するように利用者に案内することができる。そして、第１上部指当部或いは第１傾斜指当部に沿って当接するように親指を配置させて容器本体を把持できれば、前述のように安定性良く容器本体を把持して、内容物を注出することができる。特に、右手の親指の上側の側部を第１傾斜指当部に沿って当接させると、内容物の移動により発生する容器本体の回転トルクを、第１傾斜指当部に線的に当接する親指の側部で、確実に且つ安定性良く受け止めることができ、安定性良く内容物を注出することができる。
【図面の簡単な説明】
【００２５】
【図１】容器本体の斜視図
【図２】同容器本体の正面図
【図３】同容器本体の側面図
【図４】図２のIV-IV線断面図
【図５】図２のV-V線断面図
【図６】内容物として５００、４３０、２５０ミリリットルの水を充填した状態における、横注ぎ時の重心位置及びその移動奇跡を示す容器本体の(ａ)は正面図、（ｂ)は側面図
【図７】内容物として５００、４３０、２５０ミリリットルの水を充填した状態における、斜め注ぎ時の重心位置及びその移動奇跡を示す容器本体の(ａ)は正面図、（ｂ)は側面図
【図８】内容物として５００、４３０、２５０ミリリットルの水を充填した状態における、縦注ぎ時の重心位置及びその移動奇跡を示す容器本体の(ａ)は正面図、（ｂ)は側面図
【図９】他の構成の第１指当部の図５相当図
【図１０】他の構成の第１指当部を備えた容器本体の斜視図
【図１１】図１０のXI-XI線断面図
【図１２】他の構成の第１指当部の図１１相当図
【図１３】他の構成の第１指当部を備えた容器本体の正面図
【図１４】他の構成の第１指当部を備えるとともに第２指当部を備えた容器本体の斜視図
【図１５】同容器本体の正面図
【図１６】同容器本体の側面図
【図１７】他の構成の第１指当部を備えるとともに第２指当部を備えた容器本体の斜視図
【図１８】同容器本体の正面図
【図１９】同容器本体の側面図
【図２０】他の構成の第１指当部を備えた容器本体の正面図
【図２１】図２０のXXI-XXI線断面図
【図２２】市販の洗口液容器の容器本体の正面図
【図２３】パネラー試験で用いた比較例３の容器本体の正面図
【発明を実施するための形態】
【００２６】
以下、本発明の実施の形態について図面を参照しながら説明する。
図１〜図５に示すように、液体用容器１０は、前後方向に扁平な、手で把持可能な容器本体１１と、容器本体１１の口部１１ｄに着脱自在に取付けたキャップ１２とを備えている。
【００２７】
容器本体１１は、前後方向に扁平な底面視楕円形の底部１１ａと、底部１１ａの外周縁から上方へ延びる横断面楕円形の筒状の胴部１１ｂと、胴部１１ｂの上端部に連なって設けられ、上方へ行くにしたがって縮径する錐状の肩部１１ｃと、肩部１１ｃの上端部から上方へ延びる略円筒状の口部１１ｄとを備えている。
【００２８】
容器本体１１は、合成樹脂材料を用いてブロー成形などにより一体成形され、口部１１ｄ及び底部１１ａ以外は全体的に略一様な肉厚になるように構成されている。容器本体１１の満充填時の内容量は、任意に設定可能であるが、容器本体１１を手で把持して内容物を注出することを考慮して、２０００〜３００ミリリットル、好ましくは１０００〜４００ミリリットルが好適である。
【００２９】
容器本体１１の胴部１１ｂは、少なくとも手で把持する高さ方向の途中部が前後方向に扁平な外形であれば、上部及び下部の外形は、任意の外形に構成することが可能で、途中部と同じ外形に構成することも可能であるし、異なる外形に構成することも可能である。また、胴部１１ｂのうちの手で把持する高さ方向の途中部は、前後方向に扁平な外形であれば、楕円以外の任意の形状に構成することが可能で、例えば４辺を略直線状に構成した長方形状や、後面側を略直線状に構成し、左右両側部を半円状に構成した長円形や、左側側部と右側側部とを半径の異なる円弧状に構成し、前後面を外方へ膨出する緩やかな湾曲状に形成した卵形などに構成することができる。
【００３０】
底部１１ａは、胴部１１ｂの下端部に適合した外形であれば、楕円形以外の任意の形状に形成することができる。また、肩部１１ｃは、胴部１１ｂの上端部に適合した外形であれば、横断面楕円形以外の任意の形状に形成することができる。
【００３１】
口部１１ｄの外周部にはネジ部１１ｅが形成され、このネジ部１１ｅにキャップ１２を螺合して容器本体１１を液密状に閉塞できるように構成されている。口部１１ｄの内径Ｄは、内容物の粘性や内容物の１回の使用量などにもよるが、例えば洗口液を収容し、キャップ１２で１回の使用量を計量する場合には、２０ｍｍ〜３５ｍｍに設定することが好ましく、図１〜図４に示す液体用容器１０では、２１ｍｍに設定されている。口部１１ｄの長さＬＭは、任意に設定可能で、図２２に示すような短尺な口部１１１ｄを有する従来の容器本体１１１に対しても本発明を適用できるが、内容物の注出量を一様に保ち易いことから、２０〜４０ｍｍに設定することが好ましい。
【００３２】
キャップ１２は、合成樹脂材料を用いて射出成形などにより成形されており、容器本体１１に収容された液状の内容物をキャップ１２に移し替えて、必要量の内容物を計量できるように構成されている。ただし、液体用容器１０とは別部材からなる計量容器に液状の内容物を移し替えて、必要量の内容物を計量するように構成することもできるし、液状の内容物を計量しないでそのまま注出するように構成することもできる。
【００３３】
液体用容器１０は、洗口液、洗眼液、うがい薬、飲み薬、醤油、ソース、液状甘味料、ごま油、サラダ油、洗剤、柔軟剤、漂白剤、シャンプー、リンス、ボディソープ、ヘアートリートメントなど、任意の組成の液状の内容物を収容する容器１０として利用できる。特に、容器本体１１内において内容物が移動して、内容物を含む容器本体１１の重心位置が移動し易い、比較的粘性の低い液状物を収容する液体用容器１０として好適である。
【００３４】
なお、液体用容器１０の基本構成としては、胴部１１ｂのうちの手で把持する部分が前後方向に扁平な構成であれば、前述した以外の構成の液体用容器１０を採用することも可能である。
【００３５】
本発明は、前述のような液体用容器１０において、容器本体１１の胴部１１ｂの幅広側の前部及び後部に、容器本体１１を手で把持したときの第１指当部２０をそれぞれ設け、且つ、第１指当部２０が、容器本体１１に内容物としての液体を満充填したときの縦置き姿勢における容器本体１１の重心位置ＧＭよりも、縦方向上部の位置における、容器本体１１の前面の左右方向の途中部に設けた第１上部指当部２１と、第１上部指当部２１に連続的或いは間隔をあけて斜め下側へ向けて広がるように傾斜状に、容器本体１１の前面に設けた左右１対の第１傾斜指当部２２と、前後の第１傾斜指当部２２の下端部を連結する、容器本体１１の左側部及び右側部に設けた左右１対の第１側部指当部２３を備えたものである。なお、前面側と後面側の第１指当部２０は前後対称に構成されている。
【００３６】
第１指当部２０は、胴部１１ｂの外周部に沿って環状に連続的に連なって延びる、外方へ突出する突条で構成されている。突条の幅Ｗ１は、任意に設定可能であり、全周にわたって略一様な幅に構成することもできるし、部分的に異なる幅に構成することもできる。突条の高さｈは、任意に設定可能であるが、第１指当部２０を指で触って高低差を認識できる高さ以上に設定することが好ましく、例えば０．５ｍｍ以上に設定できる。
【００３７】
第１上部指当部２１は、容器本体１１に内容物としての液体を満充填して容器本体１１を縦向きに設置した状態で、内容物を含む容器本体１１の重心位置ＧＭよりも縦方向の上部位置において、略水平に配置されている。第１上部指当部２１の両端部、即ち第１傾斜指当部２２の上側の下側縁の起点Ｐは、満充填時における重心位置ＧＭよりも０〜１２ｍｍだけ、縦置き姿勢における容器本体１１の高さ方向の上側に配置されている。縦置き姿勢における容器本体１１の高さ方向（鉛直方向）に対する、起点Ｐと重心位置ＧＭ間の距離Ｌ１は、任意に設定可能であるが、離れすぎると容器本体１１の傾動操作性が低下するので、例えば第１上部指当部２１及び／又は第１傾斜指当部２２の上部に親指ＴＨを当てた状態で、容器本体１１に対する親指ＴＨの当接面よりもやや下側に重心位置ＧＭが配置されるように構成することが好ましく、重心位置ＧＭよりも０ｍｍ〜１２ｍｍだけ上側に配置することが好ましい。
【００３８】
第１上部指当部２１は、少なくとも親指ＴＨの末節骨に対応するように、左右方向に長さを有する直線状に形成することも好ましい。このように構成するとで、第１上部指当部２１に沿って親指ＴＨが配置されるように、容器本体１１を把持した場合でも、親指ＴＨを第１上部指当部２１に線的に当接させて、安定性良く容器本体１１を傾動させて内容物を注出することができる。なお、第１上部指当部２１は、長さ方向の中央部が両側部よりもやや上側に配置されるように湾曲状に形成したり、長さ方向の中央部が両側部よりもやや下側に配置されるように湾曲状に形成したりすることもできる。
【００３９】
第１上部指当部２１の長さＬ２は、任意の長さに設定可能であるが、親指ＴＨと第１上部指当部２１との接触長さを十分に確保するため、２０ｍｍ以上に設定することが好ましい。
【００４０】
第１上部指当部２１の両端部には１対の第１傾斜指当部２２が斜め下側へ向けて広がるように傾斜状に設けられている。より具体的には、第１傾斜指当部２２の上部には第１上部指当部２１に連設される上側へ円弧状のアール部２２ａが設けられ、第１傾斜指当部２２の途中部及び下部にはアール部２２ａの下端部に連なる斜め下側へ延びる傾斜部２２ｂが設けられ、傾斜部２２ｂはアール部２２ａよりも小さな曲率で緩やかに斜め下側へ突出する湾曲状に形成されている。ただし、第１指当部２０に対する接触感は多少低下するが、アール部２２ａを省略して、傾斜部２２ｂの上端部を第１上部指当部２１の端部に連設することも可能である。また、傾斜部２２ｂは、その途中部が上側へ突出する湾曲状に形成したり、全体的に直線状に形成したりすることもでき、この場合には、該傾斜部の下端部が第１側部指当部２３に滑らかに連設されるように、第１傾斜指当部２２の下部にもアール部を形成することが好ましい。
【００４１】
第１傾斜指当部２２の傾斜部２２ｂの傾斜角度θは、内容物の注出時における、内容物を含む容器本体１１の重心位置の移動軌跡と略平行に設けられている。
【００４２】
ここで、第１傾斜指当部２２の形状を決めるために行った、重心位置の移動軌跡に関する解析結果について説明する。
【００４３】
図６〜図８に示すように、第１指当部２０を省略した以外は、容器本体１１と同様に構成した容器本体１１Ｔの重心位置の移動軌跡を解析した。容器本体１１Ｔの各部の寸法は、高さを１９２ｍｍ、左右の最大幅を９２ｍｍ、前後の最大厚さを５５ｍｍに設定した略楕円筒状で、口部１１ｄの長さを３３ｍｍ、口部１１ｄの口径を２１ｍｍに設定し、満充填時の内容量を５００ミリリットルに設定した。
【００４４】
容器本体１１Ｔの持ち方は、親指ＴＨを前面側にし、残りの４本の指Ｆを後面側に配置して把持することを前提とした。また、内容物の注ぎ方は、次の３種類の注ぎ方に分類した。
【００４５】
(1)短手注ぎ：容器本体１１Ｔの前後方向の軸線、即ち図４に示す軸線Ａ１を中心として容器本体１１Ｔを傾けて注出する注ぎ方。
【００４６】
(2)長手注ぎ：容器本体１１Ｔの左右方向の軸線、即ち図４に示す軸線Ａ２を中心として容器本体１１Ｔを傾けて注出する注ぎ方。
【００４７】
(3)斜め注ぎ：容器本体１１Ｔの斜め４５°の軸線、即ち図４に示す軸線Ａ３を中心として容器本体１１Ｔを傾けて注出する注ぎ方。
【００４８】
そして、内容量が５００ミリリットルの場合と、４１０ミリリットルの場合と、２５０ミリリットルの場合の３種類の内容量の場合のそれぞれに関して、前記３種類の注ぎ方で容器本体１１Ｔを、０°、３０°、４０°、５０°、６０°、７０°、７５°、８０°に順次傾斜させ、内容物が出始めるまでの各傾斜角度における重心位置を解析ソフトにて求めた。その結果を表１及び図６〜図８に示す。
【００４９】
【表１】
2019048669.tif 000003
【００５０】
図６に示すように、短手注ぎの場合における、内容量が５００、４１０、２５０ミリリットルのそれぞれの重心位置ＧＳ１、ＧＳ２、ＧＳ３の正面視の移動軌跡は、図６（ａ）に示すように、近似直線ＬＳ１，ＬＳ２，ＬＳ３で示すように形成され、側面視の移動軌跡は、図６（ｂ）に示すように、上下方向の移動軌跡のみとなった。
【００５１】
図７に示すように、長手注ぎの場合における、内容量が５００、４１０、２５０ミリリットルのそれぞれの重心位置ＧＬ１、ＧＬ２、ＧＬ３の正面視の移動軌跡は、図７（ａ）に示すように、上下方向の移動軌跡のみとなり、側面視の移動軌跡は、図７（ｂ）に示すように、近似直線ＬＬ１，ＬＬ２，ＬＬ３で示すように形成された。
【００５２】
図８に示すように、斜め注ぎの場合における、内容量が５００、４１０、２５０ミリリットルのそれぞれの重心位置ＧＡ１、ＧＡ２、ＧＡ３の正面視の移動軌跡は、図８（ａ）に示すように、近似直線ＬＡ１，ＬＡ２，ＬＡ３で示すように形成され、側面視の移動軌跡は、図８（ｂ）に示すように、略上下方向の移動軌跡となった。
【００５３】
これらの近似直線ＬＳ１〜ＬＳ３、ＬＬ１〜ＬＬ３、ＬＡ１〜ＬＡ３と略平行な部分が形成されるように、第１傾斜指当部２２の傾斜部２２ｂを形成することになる。より具体的には、内容物の注出時における手元の安定性は、内容物を含む容器本体１１Ｔの重量と、内容物の注出時における重心位置の移動距離の影響を受けて変化し、容器本体１１Ｔに充填されている内容物の容量が多いと、容器本体１１Ｔが重たくなって、手元の安定性が低下し、少なくなると、容器本体１１Ｔが軽くなって、手元の安定性が向上する。一方、重心位置の移動距離は、容器本体１１Ｔの重量とは反対に、内容量が多くなると、重心位置の移動距離が小さくなって、手元の安定性が向上し、内容量が少なくなると、重心位置の移動距離が大きくなって、手元の安定性が低下する。このため、満充填時の３０〜７０％、好ましくは４０〜６０％の容量の内容物を容器本体１１Ｔに充填した状態を基準にして、重心位置の移動軌跡を求め、第１傾斜指当部２２の傾斜部２２ｂの少なくとも一部が、該重心位置の移動軌跡と略平行になるように設計することで、内容物の注出時における手元の安定性を、内容量の多寡に影響を受けることなく、満充填状態から、内容物を使い切るまでの全期間にわたって一様に向上できる。また、注ぎ方としては、実施例に示す容器のような楕円形、四角形、扁平な６角形などの多角形、扁平な不定形などの横断面形状を有する容器から液体状の内容物を注ぎ出す場合、容器の横断面の長手方向と短手方向との中間方向を中心に容器を傾けて内容物を注ぎ出す、いわゆる斜め注ぎをする消費者が最も多いことから、本実施の形態では、満充填時の５０％（２５０ミリリットル）の内容物を充填して斜め注ぎした場合における、図８に示すように、重心位置ＧＡ３の移動軌跡の近似直線ＬＡ３を求め、この近似直線ＬＡ３と略平行になるように、傾斜部２２ｂの上半部の傾斜角度θを４５°に設定した。また、指に対する当たりがソフトになるように、傾斜部２２ｂの上端部は、アール部２２ａを介して第１上部指当部２１に滑らかに連設し、傾斜部２２ｂの下半部は、上半部よりも徐々に傾斜角度が小さくなるように傾斜角度を、例えば４５°〜１５°に変化させて、水平な第１側部指当部２３に滑らかに連設した。
【００５４】
なお、本実施の形態では、親指ＴＨと最も接触し易い傾斜部２２ｂの上部の傾斜角度θを４５°に設定したが、第１傾斜指当部２２の全体或いは任意の部位の傾斜角度θを４５°に設定することもできる。また、満充填時の５０％の内容物を充填した状態を基準に、重心位置の移動軌跡の近似直線を求めて、該近似直線と略平行になるように傾斜角度θを４５°に設定したが、前述のように満充填時の３０〜７０％、好ましくは４０〜６０％の範囲であれば、任意の容量の内容物を充填した状態を基準に、重心位置の移動軌跡の近似直線を求めて、該近似直線と略平行になるように傾斜角度θを設定することができる。更に、容量の異なる場合の複数の近似曲線を求めて、該複数の近似直線の傾斜角度の平均値を傾斜角度θとして設定することもできる。更にまた、重心位置の移動軌跡を近似直線で近似したが、近似曲線で近似するように構成することも可能で、この場合には近似曲線と略平行となるように傾斜部２２ｂの一部又は全部を形成することになる。
【００５５】
第１側部指当部２３は、容器本体１１の左右の側部に略水平に設けられ、第１側部指当部２３の両端部は前後の第１傾斜指当部２２の下端部に滑らかに連結され、左右の第１側部指当部２３は左右対称に構成されている。なお、この第１側部指当部２３は省略することも可能である。
【００５６】
この液体用容器１０では、容器本体１１が前後方向に扁平に構成されているので、例えば容器本体１１を右手で把持する際には、容器本体１１の右側部に右手の手のひらが配置され、前面側又は後面側に右手の親指ＴＨが配置され、後面側又は前面側に右手の残り４本の指Ｆが配置されるように、容器本体１１に対して側方より右手を挿入して、容器本体１１を把持することになる。このとき、第１上部指当部２１を目印にして、右手の親指ＴＨと人差指ＦＦとが前後面の第１上部指当部２１に当接するように、該親指ＴＨと人差指ＦＦ間に容器本体１１を挿入することで、右手の親指ＴＨと人差指ＦＦが満充填時の重心位置ＧＭ付近の適正な位置に配置されるように容器本体１１を把持できる。また、この状態で、右手の親指ＴＨと人差指ＦＦとが前後面の第１上部指当部２１に当接するとともに、右手の親指ＴＨと人差指ＦＦとが前後面の第１傾斜指当部２２に当接することになる。ここで、第１上部指当部２１は、満充填時の縦置き姿勢における容器本体１１の重心位置ＧＭよりも縦方向上部に位置するので、内容量の多寡に関係なく、容器本体１１を縦向きの安定姿勢で持ち上げることができ、しかも右手の親指ＴＨと人差指ＦＦの上方への移動が第１上部指当部２１との接触により抑制されるので、容器本体１１の滑りを防止して、容器本体１１を安定性良く持ち上げることができる。また、内容物を注出するため容器本体１１を傾けると、内容物を含む容器本体１１の自重により、容器本体１１を縦向きに戻そうとする回転トルクが作用するが、右手の親指ＴＨと人差指ＦＦが第１傾斜指当部２２に接触することで、該回転トルクが受け止められるので、容器本体１１を安定性良く傾動させて、安定性良くスムーズに内容物を注出できる。更に、内容量が少なくなった状態で、容器本体１１を傾けて内容物を注出する際には、右手の親指ＴＨと人差指ＦＦ間における容器本体１１の傾動中心よりも口部１１ｄ側へ重心位置が移動するが、その際においても、右手の親指ＴＨ及び人差指ＦＦが第１傾斜指当部２２に当接していることにより、口部１１ｄ側が勢いよく下側へ傾動することが抑制され、内容物をキャップ１２に移し替える場合でも、内容物がこぼれたり、あふれたりすることを効果的に抑制乃至防止できる。第１指当部２０を設けることで、第１指当部２０の第１上部指当部２１或いは第１傾斜指当部２２に沿って親指ＴＨを配置するように利用者に案内することができる。そして、第１上部指当部２１或いは第１傾斜指当部２２に沿って当接するように親指ＴＨを配置させて容器本体１１を把持できれば、前述のように安定性良く容器本体１１を把持して、内容物を注出することができる。特に、図２に示すように、右手の親指ＴＨの上側の側部を第１傾斜指当部２２に沿って当接させると、内容物の移動により発生する容器本体１１の回転トルクを、第１傾斜指当部２２に線的に当接する親指ＴＨの側部で、確実に且つ安定性良く受け止めることができ、安定性良く内容物を注出することができる。
【００５７】
次に、前記実施の形態の構成を部分的に変更した他の実施の形態について説明する。なお、前記実施の形態と同一部材には同一符号を付してその詳細な説明を省略する。
【００５８】
（１）第１指当部２０は、容器本体１１の成形時に容器本体１１に一体的に成形することが好ましいが、容器本体１１から第１指当部２０を省略し、第１指当部２０に適合する形状の合成樹脂材料や金属材料の別部材からなる環状の線材を、第１指当部２０を省略した容器本体１１に接着したり、第１指当部２０を省略した容器本体１１とそれに外装されるシュリンクフィルム間に保持させて設けたりすることも可能である。
【００５９】
（２）図９に示す容器本体１１Ａのように、第１指当部２０に代えて、該第１指当部２０を設けていた位置に、連続的に延びる条溝からなる第１指当部２０Ａを設けることも可能である。条溝の深さｄは、突条と同様に、指で触って高低差を認識できる深さ以上に設定することになり、例えば、０．５ｍｍ以上の深さに設定することになる。
【００６０】
（３）図１０、図１１に示す容器本体１１Ｂのように、第１指当部２０に代えて、該第１指当部２０を設けていた位置に、連続的に環状に延びる段差部からなる第１指当部２０Ｂを設けて、第１上部指当部２１、第１傾斜指当部２２、第１側部指当部２３に代えて、第１上部指当部２１Ｂ、第１傾斜指当部２２Ｂ、第１側部指当部２３Ｂを形成するとともに、胴部１１ｂに代えて、第１指当部２０Ｂよりも上側部分の外形を下側部分の外形よりも大きな外形の胴部１１Ｂｂを設けることも可能である。また、図１２に示す容器本体１１Ｃのように、段差部からなる第１指当部２０Ｂに代えて、傾斜部からなる第１指当部２０Ｃを設けるとともに、胴部１１ｂに代えて、第１指当部２０Ｃよりも上側部分の外形を下側部分の外形よりも大きな外形の胴部１１Ｃｂを設けることも可能である。
【００６１】
（４）図１３に示す容器本体１１Ｄのように、第１指当部２０に代えて、該第１指当部２０を設けていた位置に、相互に間隔をあけて配置した複数の突部又は凹部からなる第１指当部２０Ｄを設け、第１上部指当部２１と第１傾斜指当部２２と第１側部指当部２３を、複数の突部又は凹部からなる第１上部指当部２１Ｄと第１傾斜指当部２２Ｄと第１側部指当部２３Ｄで構成することができる。なお、複数の突部又は凹部の長さや隣接する突部の間隔は、それぞれ任意に設定可能である。また、突部の高さ及び凹部の深さは、指で触って高低差を認識できる高さ以上及び深さ以上に設定することになる。
【００６２】
（５）図１４〜図１６に示す容器本体１１Ｅのように、第１側部指当部２３を省略するとともに、第１上部指当部２１及び第１傾斜指当部２２に代えて、略直線状に形成した以外は第１上部指当部２１及び第１傾斜指当部２２と同様に構成した第１上部指当部２１Ｅと第１傾斜指当部２２Ｅを形成し、第１指当部２０に代えて、第１上部指当部２１Ｅと第１傾斜指当部２２Ｅとをアール部２２ａを介することなく直接的に鈍角状に接続した第１指当部２０Ｅを設けることもできる。
【００６３】
また、図１４〜図１６に示すように、容器本体１１Ｅを手で把持するときの第２指当部３０として、容器本体１１Ｅの左右両側面に、上端部が第１上部指当部２１と略同じ高さ位置に配置され、下端部が接続されてＶ字状に配置される１対の第２傾斜指当部３１と、第２傾斜指当部３１の上端部から前後の第１上部指当部２１側へ延びる第２上部指当部３２とを設けることもできる。第２傾斜指当部３１は、第１傾斜指当部２２と同様に、内容物を含む容器本体１１Ｅにおける、重心位置ＧＡ３の移動軌跡の近似直線ＬＡ３を求めて、該近似直線ＬＡ３と略平行な部分を有するように傾斜状に配置することになる。
【００６４】
この容器本体１１Ｅでは、容器本体１１Ｅと手との位置関係が、容器本体１１Ｅの周方向にずれた場合でも、親指ＴＨと人差指ＦＦとが第２指当部３０の第２上部指当部３２に当接することで、第１上部指当部２１を設けた場合と同様に、容器本体１１を把持する側の手の親指ＴＨと人差指ＦＦを適正な位置に配置させて容器本体１１を把持でき、容器本体１１を安定性良く持ち上げることができるとともに、親指ＴＨと人差指ＦＦとが第２指当部３０の第２傾斜指当部３１に当接することで、第１傾斜指当部２２を設けた場合と同様に、容器本体１１を把持する側の手の親指ＴＨと人差指ＦＦを適正な位置に配置させて容器本体１１を把持でき、容器本体１１を傾けて内容物を注出するときの安定性を向上できる。
【００６５】
なお、第１指当部２０Ｅ及び第２指当部３０は、前記第１指当部２０Ａと同様に条溝で構成することもできるし、第１指当部２０Ｂ、２０Ｃと同様に段差部や傾斜部２２ｂで構成することもできるし、第１指当部２０Ｄと同様に複数の突部又は凹部で構成することもできる。なお、図１７〜図１９に示す容器本体１１Ｆのように、第１上部指当部２１Ｅ及び第１傾斜指当部２２Ｅに代えて、第１指当部２０と同様に、緩やかな山形形状に第１上部指当部２１及び第１傾斜指当部２２を有する第１指当部２０Ｆを設けることもできる。
【００６６】
（６）図２０、図２１に示す容器本体１１Ｇのように、第１指当部２０に代えて、該第１指当部２０の下側に親指ＴＨが嵌合可能な窪み部３５を形成し、窪み部３５の外周部に容器本体１１Ｇの外方側広がりに傾斜した環状の周壁部３５ａを設け、第１上部指当部２１及び第１傾斜指当部２２に代えて、周壁部３５ａの上部に傾斜部からなる第１上部指当部２１Ｇ及び第１傾斜指当部２２Ｇからなる第１指当部２０Ｇを形成することも可能である。
【００６７】
なお、本発明の第１指当部及び第２指当部は、前記実施の形態及び他の実施の形態における、突条、突部、溝部、凹部、段差部又は傾斜部を前述のように単独で用いて構成することもできるし、任意に組み合わせて構成することもできる。また、第１指当部及び／又は第２指当部に沿って少なくとも親指が配置されるように、第１指当部及び／又は第２指当部の形成位置を目視にて確認するための着色や装飾を、容器本体や容器本体に外装するフィルム材に施すこともできる。
【００６８】
次に、液体容器１０の評価試験について説明する。
比較例１として、図２２に示すように、胴部１１１ｂの高さを１８７ｍｍ、口部１１１ｄの長さを２５ｍｍ、口部１１１ｄの口径を２４ｍｍに設定した以外は、容器本体１１と同様に、胴部１１１ｂの左右の幅を９２ｍｍ、胴部１１１ｂの前後の厚さを５５ｍｍに設定した略楕円筒状で、胴部１１１ｂにシュリンクフィルムからなる外装フィルムを外装した、満充填時の内容量が５００ミリリットルの市販の洗口液用の容器本体１１１（サンスター社製、ＧＵＭデンタルリンス）を用いた。
【００６９】
比較例２として、図６に示すように、第１指当部２０を有さない容器本体１１Ｔを製作した。なお、比較例２の容器本体１１Ｔは、比較例１の容器本体１１１の口部の長さを長くするとともに、口部の口径を小さく設定した以外は、比較例１の容器本体１１１と同様に構成されている。
【００７０】
実施例１として、図６に示す容器本体１１Ｔの胴部１１ｂの高さ方向の途中部に、容器本体１１Ｔと同じ白色の段差１ｍｍの第１指当部を、図１〜図５に示す第１指当部２０に対応する位置に一体成形し、シュリンクフィルムからなる外装フィルムを胴部１１ｂに外装した以外は、比較例２と同様に構成した容器本体を製作した。
【００７１】
実施例２として、実施例１の第１指当部に薄緑色の着色を施した以外は、実施例１と同様に構成した容器本体を製作した。
【００７２】
１１人の試験官により、実施例１、２、比較例１、２の４種類の容器本体を用いて、内容物をキャップ１２に移し替えたときの、取り出し易さ、薬剤の出方、出方のコントロールのし易さ、持ち易さについて、下記評価基準に１点〜５点の点数を設定してそれぞれ評価した。その結果を表２に示す。
【００７３】
１点：非常に不満
２点：不満
３点：とちらともいえない
４点：満足
５点：非常に満足
【００７４】
【表２】
2019048669.tif 000004
【００７５】
比較例１、２から、口部の口径を小さくすることで、薬剤の出方及びコントロールのし易さが向上することが判る。また、実施例１、２のように第１指当部２０を設けると、比較例１、２と比較して、薬剤の出方及びコントロールのし易さが更に向上するとともに、持ち易さが向上していることが判る。更に、実施例２のように第１指当部を着色すると、容器本体の適正な位置を把持し易くなることから、実施例１と比較して、薬剤の出方及びコントロールのし易さがより一層向上できることが判る。
【００７６】
次に、パネラー試験について説明する。
実施例３として、図１〜図５に示すように、第１指当部２０を有する容器本体１１を用いた。容器本体１１の、各部の寸法は、図６に示す容器本体１１Ｔと同様に設定した。
【００７７】
比較例３として、図２３に示すように、前記実施例３の第１指当部２０に代えて、第１上部指当部２１の高さ位置に、第１指当部２０と幅及び突出高さを同じに設定した環状の指当部２２０を設けた以外は、実施例３と同様に構成した容器本体２１１を用いた。
【００７８】
３０代と４０代の女性８名で、下記方法でパネラー試験を行った。
実施例３及び比較例３の容器本体１１、２１１に２５０ミリリットルの水を入れた状態で、該容器本体１１、２１１を一方の手で把持し、他方の手で把持した、直径４０ｍｍ、高さ３５ｍｍ、満注容量２３ミリリットルのキャップに、半分位の目安で、内容物を移し替えてもらった。その時における「手元の安定感」について、下記評価基準に１点〜５点の点数を設定してそれぞれ評価してもらった。その結果を表３に示す。
【００７９】
１点：かなり悪い
２点：やや悪い
３点：どちらともいえない
４点：やや良い
５点：かなり良い
【００８０】
【表３】
2019048669.tif 000005
【００８１】
表３から、実施例３は、比較例３と比較して、内容物をキャップに注ぐときの手元の安定感が向上していることが判る。
【００８２】
以上、本発明の実施形態について説明したが、本発明は前述した実施形態に何ら限定されるものではなく、本発明の要旨を逸脱しない範囲においてその構成を変更し得ることは勿論である。
【符号の説明】
【００８３】
１０    液体用容器        １１    容器本体
１１ａ  底部              １１ｂ  胴部
１１ｃ  肩部              １１ｄ  口部
１１ｅ  ネジ部            １２    キャップ
２０    第１指当部        ２１    第１上部指当部
２２    第１傾斜指当部    ２２ａ  アール部
２２ｂ  傾斜部            ２３    第１側部指当部
１１Ｔ  容器本体
１１Ａ  容器本体          ２０Ａ    第１指当部
１１Ｂ  容器本体          １１Ｂｂ  胴部
２０Ｂ  第１指当部        ２１Ｂ    第１上部指当部
２２Ｂ  第１傾斜指当部    ２３Ｂ    第１側部指当部
１１Ｃ    容器本体        １１Ｃｂ  胴部
２０Ｃ  第１指当部
１１Ｄ    容器本体        ２０Ｄ  第１指当部
２１Ｄ  第１上部指当部    ２２Ｄ  第１傾斜指当部
２３Ｄ  第１側部指当部
１１Ｅ  容器本体          ２０Ｅ  第１指当部
２１Ｅ  第１上部指当部    ２２Ｅ  第１傾斜指当部
３０    第２指当部        ３１    第２傾斜指当部
３２    第２上部指当部
１１Ｆ  容器本体          ２０Ｆ  第１指当部
１１Ｇ  容器本体          ２０Ｇ  第１指当部
２１Ｇ  第１上部指当部    ２２Ｇ  第１傾斜指当部
３５    窪み部            ３５ａ  周壁部
１１１  容器本体          １１１ｂ  胴部
１１１ｄ  口部
２１１  容器本体          ２２０  指当部
Ａ１    軸線              Ａ２    軸線
Ａ３    軸線
Ｄ      内径              ＴＨ    親指
Ｆ      残りの指          ＦＦ    人差指
ＧＭ    重心位置          ＧＡ１  重心位置
ＧＬ１  重心位置          ＧＳ１  重心位置
Ｌ１    距離
ＬＡ１，ＬＡ２，ＬＡ３  近似直線
ＬＬ１，ＬＬ２，ＬＬ３  近似直線
ＬＳ１，ＬＳ２，ＬＳ３  近似直線
ｈ      高さ              Ｗ１    幅
Ｌ２    長さ              ＬＭ    長さ
Ｐ      起点
【図１】
2019048669.tif 000006
【図２】
2019048669.tif 000007
【図３】
2019048669.tif 000008
【図４】
2019048669.tif 000009
【図５】
2019048669.tif 000010
【図６】
2019048669.tif 000011
【図７】
2019048669.tif 000012
【図８】
2019048669.tif 000013
【図９】
2019048669.tif 000014
【図１０】
2019048669.tif 000015
【図１１】
2019048669.tif 000016
【図１２】
2019048669.tif 000017
【図１３】
2019048669.tif 000018
【図１４】
2019048669.tif 000019
【図１５】
2019048669.tif 000020
【図１６】
2019048669.tif 000021
【図１７】
2019048669.tif 000022
【図１８】
2019048669.tif 000023
【図１９】
2019048669.tif 000024
【図２０】
2019048669.tif 000025
【図２１】
2019048669.tif 000026
【図２２】
2019048669.tif 000027
【図２３】
2019048669.tif 000028